(57)【特許請求の範囲】
【請求項１】
スイッチキャビネットのスイッチキャビネットドア用の閉鎖装置であって、グリップ収容部内にハンドレバーを収容している保持部が設けられており、該ハンドレバーが、前記保持部内で、調節可能に支承された錠止部材によって係止位置に固持可能であり、前記保持部が、錠ケーシング内に、前記錠止部材を調節するために、キー操作される錠を収容しており、該錠が、作動部材を介して前記錠止部材と作用結合しており、解放されたハンドレバーが、閉鎖部の操作のためにスイッチキャビネットドアに対して平行に旋回可能である形式のものにおいて、錠ケーシング（２０）が付加的に、調節可能な複数の文字盤（２２）を備えたダイヤル錠（２１）のための錠収容部（２９）を有しており、該ダイヤル錠（２１）が制御部材（２４）を有しており、該制御部材（２４）が、前記作動部材（４０）に設けられた操作付設部（４４）に作用しており、文字盤（２２）の所定の数字コードが調節された場合に前記制御部材（２４）が、回転スライダ（２３）によって調節可能であって、前記作動部材（４０）の調節を介して前記ハンドレバー（１２）を解放するようになっていることを特徴する、スイッチキャビネットのスイッチキャビネットドア用の閉鎖装置。
【請求項２】
ダイヤル錠（２１）が、錠ケーシング（２０）に設けられた前記錠収容部（２９）内で、錠ケーシング（２０）の内側から交換可能に固定されている、請求項１記載の閉鎖装置。
【請求項３】
ダイヤル錠（２１）が、デコーダ装置を有しており、所定の数字コードが調節された場合に該デコーダ装置が操作可能であり、該デコーダ装置が操作されている場合に、新しい数字コードが文字盤（２２）で調節可能である、請求項１または２記載の閉鎖装置。
【請求項４】
錠ケーシング（２０）に設けられた錠収容部（２９）が、外側の錠表面（２９．３）に向かって段部（２９．１）によって拡大されており、該段部（２９．１）が、ダイヤル錠（２１）に設けられたフランジ（２６）を、表面面一に収容している、請求項１から３までのいずれか１項記載の閉鎖装置。
【請求項５】
ダイヤル錠（２１）が、錠ケーシング（２０）の内室に向けられた載置面（２５）を有しており、該載置面（２５）が、錠ケーシング（２０）に設けられた支持部分（２７）に支持されており、該支持部分（２７）に、ダイヤル錠（２１）との結合のための少なくとも１つの固定収容部（２９．２）が一体に成形されており、固定ねじを用いて、ダイヤル錠（２１）に設けられた前記載置面（２５）が前記支持部分（２７）に緊定した状態で保持されている、請求項１から４までのいずれか１項記載の閉鎖装置。
【請求項６】
ダイヤル錠（２１）の代わりに、カバーが錠ケーシング（２０）の前記錠収容部（２９）をカバーしている、請求項１から５までのいずれか１項記載の閉鎖装置。
【請求項７】
前記作動部材（４０）が、錠ケーシング（２０）内で摺動可能に支承されたプッシュロッド（４１）を有しており、該プッシュロッド（４１）が、ダイヤル錠（２１）の方向へ突出している操作付設部（４４）を有しており、該操作付設部（４４）が制御カム（４３）を有しており、該制御カム（４３）にダイヤル錠（２１）の前記制御部材（２４）が、前記作動部材（４０）の操作時に乗り上げるようになっている、請求項１から６までのいずれか１項記載の閉鎖装置。
【請求項８】
キー操作される錠（３０）が、前記錠止部材（１５）を操作するために、前記作動部材（４０）の操作付設部（４２）とルーズに係合している、請求項７記載の閉鎖装置。
【発明の詳細な説明】
【０００１】
【発明の属する技術分野】
本発明は、スイッチキャビネット用の閉鎖装置であって、グリップ収容部内にハンドレバーを収容している保持部が設けられており、該ハンドレバーが、前記保持部内で、調節可能に支承された錠止部材によって係止位置に固持可能であり、前記保持部が、錠ケーシング内に、前記錠止部材を操作するために錠を収容しており、該錠が、作動部材を介して前記錠止部材と作用結合している形式のものに関する。
【０００２】
【従来の技術】
このような形式の閉鎖装置は、ドイツ連邦共和国特許第１９８０１７２１号明細書に基づき公知である。このような閉鎖装置では、ハンドレバーが保持部に旋回可能に取り付けられている。ハンドレバーはこの場合、保持部が取り付けられているスイッチキャビネットドアの平面に対して直角な平面内で旋回させられるようになっている。ハンドレバーはその出発位置において、グリップ収容部内に保持されている。このときに錠止部材は、ハンドレバーが不本意に開放位置へ移動させられてしまうことを阻止している。この錠止部材はスライダによって解錠され得る。スライダは錠、たとえば成形半円筒形シリンダによって操作される。ハンドレバーが解錠されるやいなや、このハンドレバーを把持して、開放位置へ旋回させることができる。
【０００３】
同様の閉鎖装置が欧州特許第０１５５５４３号明細書からも公知である。この場合、ハンドレバーはやはりグリップ収容部内に位置固定される。ハンドレバーが解錠されるやいなや、このハンドレバーはばね部材の影響を受けて操作位置へジャンプする。この操作位置でハンドレバーを把持して、スイッチキャビネットドアに対して直角に延びる旋回軸線を中心にして旋回させることができる。
【０００４】
【発明が解決しようとする課題】
本発明の課題は、冒頭で述べた形式の閉鎖装置を改良して、任意の、ただし特定の選ばれたグループの人間だけにスイッチキャビネットへのアクセスもしくは接近を可能にし、しかも錠システムをあとから変えることも簡単に可能となるようなスイッチキャビネット用の閉鎖装置を提供することである。
【０００５】
【課題を解決するための手段】
この課題を解決するために本発明の構成では、前記錠〔以下、「第２錠」と呼ぶ〕が、それぞれ複数の数字を有する調節可能な複数の文字盤を有するダイヤル錠として形成されており、該第２錠が、錠ケーシングに設けられた錠収容部内に挿入されていて、錠ケーシングの内側から固定収容部に交換可能に固定されており、さらに第２錠が制御部材を有しており、該制御部材が、前記作動部材に設けられた操作付設部に作用しており、ただし該操作付設部には結合されていないようにした。
【０００６】
【発明の効果】
数字の組み合わせによる文字合わせ錠もしくはダイヤル錠は、最初は単にスイッチキャビネット所有者にしか知られていないコードを備えている。スイッチキャビネット所有者は、次いで所望のグループの人間、たとえば操作オペレータまたは保守オペレータに、コード番号を教えることができる。時間の経過と共に、たとえば使用要件が変わったという理由から錠の変更が必要になった場合には、この第２錠を問題なく取り外すことができる。このために必要となる手間は、考えられる限り僅かである。なぜならば、第２錠を単に錠ケーシングの固定収容部から解離するだけで済むからである。
【０００７】
本発明の有利な実施形態では、第２錠が回転スライダを有しており、該回転スライダが、錠ケーシングの内室に配置された制御部材を有しており、文字盤で所定のコードが調節された場合に前記回転スライダが解放されており、その他の場合にはロックされている。付加的に、第２錠がデコーダ装置を有していることも考えられる。その場合、このデコーダ装置は、所定の数字コードが調節された場合に操作可能であり、そして操作されたデコーダ装置において、新しい数字コードが文字盤で調節可能となる。
【０００８】
これによって、スイッチキャビネット所有者は、たとえば利用者グループが変わった場合に、第２錠のコードを適合させる手段を得る。
【０００９】
本発明の別の有利な実施態様では、錠ケーシングに設けられた錠収容部が、外側の錠表面に向かって段部によって拡大されており、この段部が、第２錠に設けられたフランジを、表面面一に収容している。このような構成が採用されると、第２錠における不正操作の可能性が制限される。
【００１０】
本発明のさらに別の有利な実施態様では、第２錠が、錠ケーシングの内室に向けられた載置面を有しており、この載置面が、錠ケーシングに設けられた支持部分に支持されており、前記固定収容部が、少なくとも１つのねじ収容部として形成されており、該ねじ収容部が錠ケーシングと一体に成形されており、前記固定収容部内に固定ねじが導入されていて、第２錠内にねじ込まれており、該固定ねじが、前記載置面を前記支持部分に緊定した状態で保持している。こうして、第２錠の確実な位置固定が達成され、このような位置固定は必要に応じて再び簡単に解離され得る。
【００１１】
本発明による閉鎖装置は、第２錠の代わりに、カバーが錠ケーシングの内面に固定されていて、かつ該カバーが前記錠収容部をカバーしているように形成されていてもよい。これによって、閉鎖装置を使用者の要求に適合させることができる。第２錠の使用が意図されていない場合には、カバーが使用される。このカバーは外側ではもはや解離され得ない。なぜならば、このカバーは錠ケーシングの内側に固定されているからである。
【００１２】
本発明のさらに別の有利な実施態様では、前記作動部材が、錠ケーシング内で摺動可能に支承されたプッシュロッドを有しており、該プッシュロッドが、第２錠の方向へ突出している操作付設部を有しており、該操作付設部が制御カムを有しており、該制御カムに第２錠の前記制御部材が、前記作動部材の操作時に乗り上げるようになっている。このような構成が採用されると、第２錠の交換が特に簡単に可能となる。これによって、交換時に解離されなければならなくなるような、操作付設部と制御部材との間の堅固な機械的対応関係は生じなくなる。
【００１３】
本発明のさらに別の有利な実施態様では、錠ケーシングが、第２錠に対して付加的に錠を収容しており、該錠が、やはり錠止部材と作用結合している。こうして提供された錠メカニズムを用いると、互いに独立して別個に作動する２つの錠によって錠止部材を操作することができる。これによって、それぞれ当該閉鎖装置へのアクセス資格を与えられた２つの異なる使用者グループを規定することができる。
【００１４】
本発明のさらに別の有利な実施態様では、前記錠が制御部材を有しており、該制御部材が、錠止部材を操作するために、前記作動部材の操作付設部とルーズに係合している。このような構成が採用されると、付加的な錠の交換が特に簡単に可能となる。
【００１５】
【発明の実施の形態】
以下に、本発明の実施の形態を図面につき詳しく説明する。
【００１６】
図１においては、保持部１０と錠ケーシング２０とを有する閉鎖装置が示されている。保持部１０は機械的なインタフェース１３を形成しており、このインタフェース１３に錠ケーシング２０を取り付けることができる。保持部１０は錠ケーシング２０と一緒にグリップ収容部１１を形成している。このグリップ収容部１１内にはハンドレバー１２がその閉鎖位置で配置されている。
【００１７】
錠ケーシング２０は錠３０と第２錠２１とを有している。錠３０と第２錠２１とは互いに上下に配置されている。第２錠２１は数字の組み合わせによる文字合わせ錠もしくはダイヤル錠として形成されていて、それぞれ複数の数字を有する調節可能な３つの文字盤を有している。さらに第２錠２１は回転スライダ２３を有している。この回転スライダ２３の正面側のハンドルを把持して回転させることができる。
【００１８】
図２から判るように、閉鎖装置は当付け面１８を有している。この当付け面１８によって、閉鎖装置をスイッチキャビネットドアの前面に取り付けることができる。ハンドレバー１２は、取り付け状態においてドア平面に対して直角の平面内で旋回可能に支承されている。図２に示した閉鎖位置では、ハンドレバー１２が錠止部材１５によって、グリップ収容部１１内に固持されている。このためには、ハンドレバー１２のタンブラ１４が錠止部材１５によって背後から係合される。錠止部材１５自体は錠ケーシング２０に摺動動可能に支承されている。錠止部材１５には、作動部材４０が取り付けられている。この作動部材４０はプッシュロッド４１を有しており、このプッシュロッド４１は支持部分２７と、錠ケーシング２０に設けられた摺動支承部２８とに保持されている（図３参照）。作動部材４０は線状にかつ図平面に対して平行に移動させることができる。作動部材４０は鋼薄板裁断片から打抜き・曲げ成形部材として製作されている。プッシュロッド４１からは、操作付設部４２が曲げ出されている。操作付設部４２は錠ケーシング２０により取り囲まれた内室に突入している。
【００１９】
さらに図３から判るように、錠ケーシング２０は錠収容部３１を有しており、この錠収容部３１内には錠３０が組込み可能である。図３および図２においては、図面を見やすくするために、錠３０は図示されていない。第２錠２１は同じく錠ケーシング２０に設けられた錠収容部２９内に挿入されている。
【００２０】
第２錠２１は文字盤２２と回転スライダ２３とを支持しているコンポーネントと共に１つの構造ユニットを形成している。この構成ユニットはユニットとしてハンドリング可能であり、対応する錠収容部２９内に挿入され得る。挿入された状態で、第２錠２１は、全周にわたって延びるフランジ２６によって、錠ケーシング２０に設けられたセットバックされた（引っ込まれた）収容部内に支持される。このフランジ２６の上面は錠ケーシング２０に設けられた覗き面２９．３と整合している、つまり覗き面２９．３と面一に形成されている。これにより、フランジ２６が工具によって背後から係合されて、閉鎖装置が不正操作されてしまう恐れが回避されている。第２錠２１は、錠ケーシング２０の内室に向けられた載置面２５を有しており、この載置面２５は支持部分２７に支持される。第２錠２１は錠ケーシング内側から複数の固定ねじによって固定され得る。これらの固定ねじは錠ケーシング２０に設けられた固定収容部２９．２内にねじ込まれる。
【００２１】
回転スライダ２３は制御部材２４を有している。この制御部材２４はプッシュロッド４１に設けられた操作付設部４４と作用結合している。第２の操作付設部４２は、図２には示されていない錠の制御部材２４と作用結合している。操作性を改善するために、両操作付設部４２，４４は側方の制御カム４３を備えている。これらの制御カム４３には錠操作時に制御部材２４が乗り上げるようになっている。
【００２２】
ハンドレバー１２を解錠するためには、錠３０を使用するか、または第２錠２１を使用することができる。第２錠２１を操作するためには、まず文字盤２２において所定のコードが調節されなければならない。引き続き、回転スライダ２３を当付け面１８に対して垂直な軸線を中心にして回転させることができる。このときに、制御部材２４は操作付設部４４の制御カム４３に乗り上がる。これによって、作動部材４０は図２において、図平面内で右側へ向かって移動させられる。移動運動はこの場合、ばねプレロードをかけられた状態で作動部材４０を保持するばねに抗して行われる。錠止部材１５がタンブラ１４を解放するやいなや、ハンドレバー１２はグリップ支承部１６を中心にして、グリップ収容部１１から進出する方向へ旋回する。この進出旋回運動は、ばねによって助長される。
【００２３】
作動部材４０を第２錠２１によって操作する代わりに、錠止部材１５の操作を錠３０によって行うこともできる。錠３０はやはり、図２においては示されていない制御部材２４を有しており、この制御部材２４は、操作部材４２に設けられた制御カム４３に乗り上がる。
【００２４】
図４および図５には、閉鎖装置の別の実施例が示されている。図４および図５に示した実施例による閉鎖装置は、機能の点では図１および図２に示した閉鎖装置と類似して形成されている。ハンドレバー１２は閉鎖位置において、グリップ収容部１１内に錠止部材１５によって固持されている（図５参照）。ハンドレバー１２には、フレームの形で形成されている作動部材４０が連結されている。図１および図２に示した閉鎖装置の場合と同様に、作動部材４０はやはり２つの操作部材４２，４４を介して、選択的に錠３０または第２錠２１を介して、制御することができる。錠止部材１５が解放されると、ハンドレバー１２はスイッチキャビネットドアに対して直角な平面内で旋回する。この旋回運動は、図５において符号１６．１で示した旋回支承部を介して行われる。進出旋回させられた状態では、ハンドレバー１２を把持して、回転支承部１６．２を中心にして旋回させることができる。
【００２５】
旋回支承部１６．２の旋回軸線はスイッチキャビネットドアの平面に対して直角に位置している。ハンドレバー１２の回転時に、回転支承部１６．２に設けられた支承ピン１７が回転する。支承ピン１７の回転を利用して、スイッチキャビネットドアの閉鎖リンク機構を運動させることができる。
【図面の簡単な説明】
【図１】スイッチキャビネット用の閉鎖装置を示す斜視図である。
【図２】図１に示した閉鎖装置の鉛直方向断面図である。
【図３】図１および図２に示した閉鎖装置の錠ケーシングを断面して示す側面図である。
【図４】スイッチキャビネット用の閉鎖装置の別の実施例を示す斜視図である。
【図５】図４に示した閉鎖装置の鉛直方向断面図である。
【符号の説明】
１０  保持部、  １１  グリップ収容部、  １２  ハンドレバー、  １３  インタフェース、  １４  タンブラ、  １５  錠止部材、  １６  グリップ支承部、  １６．１  旋回支承部、  １６．２  回転支承部、  １７  支承ピン、  １８  当付け面、  ２０  錠ケーシング、  ２１  第２錠、  ２２  文字盤、  ２３  回転スライダ、  ２４  制御部材、  ２５  載置面、  ２６  フランジ、  ２７  支持部分、  ２８  摺動支承部、  ２９  錠収容部、  ２９．１  段部、２９．２  固定収容部、  ２９．３  覗き面、  ３０  錠、  ３１  錠収容部、  ４０  作動部材、  ４１  プッシュロッド、  ４２  操作付設部、  ４３  制御カム、  ４４  操作付設部
【図１】
0003789797.tif 000002
【図２】
0003789797.tif 000003
【図３】
0003789797.tif 000004
【図４】
0003789797.tif 000005
【図５】
0003789797.tif 000006